(57)【特許請求の範囲】
【請求項１】
無線電話端末で受信レベルが保持レベル設定値より低下した場合、複数の基地局をサーチし適切な基地局を選び切替接続するオープンサーチ手段及び通話モード／データ通信モードを切り替えるモード切替手段を有する無線電話端末のデータ通信待ち受け方法において、
前記無線電話端末にデータ通信時の受信レベルを設定するデータ通信レベル設定手段を設け、該データ通信レベル設定手段が設定する受信レベル設定値を前記保持レベル設定値より高く設定し、
前記モード切替手段が作動したとき、受信レベルを前記データ通信レベル設定手段が設定した受信レベル設定値と比較し、該受信レベルが該受信レベル設定値より低下していれば、前記オープンサーチ手段により適切な基地局を選び切替接続することを特徴とする無線電話端末のデータ通信待ち受け方法。
【発明の詳細な説明】
【０００１】
【発明の属する技術分野】
本発明は受信レベルにより基地局を適切に切り替え、安定した通信を行なうＰＨＳ端末を代表とする無線電話端末のデータ通信待ち受け方法に関するものである。
【０００２】
【従来の技術】
図３は従来の保持レベルで基地局を切り替えるＰＨＳ端末の状態を示す模式図である。図示するように、ＰＨＳ端末３は基地局１のサービスエリア４の中を制御チャネルで基地局１と接続され着信を待ち受け移動している。一般に基地局のサービスエリアは他の複数の基地局のサービスエリアと重複する領域が存在し、その内ではＰＨＳ端末はその何れかの基地局と接続することが可能である。図３は基地局１のサービスエリア４と基地局２のサービスエリア５が重複した領域をＰＨＳ端末３が移動する状態を示す。
【０００３】
一般にＰＨＳ端末は複数の基地局から接続する基地局を選択するために選択レベルが設定されており（選択レベル設定値）、各ＰＨＳ端末はオープンサーチすることにより受信レベル（電界強度）が該選択レベル設定値以上で接続可能な最も受信レベルの高い基地局（図では基地局１）と接続し着信を待ち受ける（図３のＡの状態）。
【０００４】
また、これとは別に各ＰＨＳ端末には保持レベルが設定されており（保持レベル設定値）、例えば、ＰＨＳ端末３が基地局１から離れ受信レベルが低下した場合に受信レベルが該保持レベル設定値以上であれば基地局１との接続を維持し（図３のＢの状態）、受信レベルが該保持レベル設定値以下に低下すれば再度オープンサーチしサービスエリア５の基地局２に切替接続し着信を待ち受ける（図３のＣの状態）。
【０００５】
また、ＰＨＳ端末は通話モード／データ通信モードのモード切替手段を有し、通話及びデータ通信に使用することが可能であるが、モードにより選択レベル及び保持レベルの設定値を切り替えることはない。
【０００６】
【発明が解決しようとする課題】
しかしながら、上述したように従来の待ち受け方法では、複数のサービスエリアが重複した領域内において、現在自分が受信している受信レベルより高い他の基地局を受信できても、現在の受信レベルが保持レベル設定値以下に下がらないとオープンサーチされないので他の基地局に切り替えられる事はない。保持レベル設定値付近で使用している場合、着信応答後に移動して該サービスエリアから出ることが多くなる。この場合、ハンドオーバーの実行等がされると通常の音声通話の場合は通話が中断されるだけで済むが、データ通信の場合はネゴシエーション失敗となり通信の成功率が低くなるという問題があった。
【０００７】
本発明は上述の点に鑑みてなされたもので、上記問題点を除去し、広い範囲で安定し、通信の成功率を向上させる無線電話端末のデータ通信待ち受け方法を提供することを目的とする。
【０００８】
【課題を解決するための手段】
上記課題を解決するため請求項１に記載の発明は、無線電話端末で受信レベルが保持レベル設定値より低下した場合、複数の基地局をサーチし適切な基地局を選び切替接続するオープンサーチ手段及び通話モード／データ通信モードを切り替えるモード切替手段を有する無線電話端末のデータ通信待ち受け方法において、無線電話端末にデータ通信時の受信レベルを設定するデータ通信レベル設定手段を設け、該データ通信レベル設定手段が設定する受信レベル設定値を保持レベル設定値より高く設定し、モード切替手段が作動したとき、受信レベルをデータ通信レベル設定手段が設定した受信レベル設定値と比較し、該受信レベルが該受信レベル設定値より低下していれば、オープンサーチ手段により適切な基地局を選び切替接続することを特徴とする。
【０００９】
【発明の実施の形態】
以下、本発明の実施の形態例を図面に基づいて詳細に説明する。図１は本発明のＰＨＳ端末のデータ通信待ち受け方法の処理フローを示す図である。図示するように、本発明のＰＨＳ端末のデータ通信待ち受け方法は、従来の選択レベル設定値及び保持レベル設定値の他に、データ通信レベル設定値を設け、各設定値を選択レベル設定値＞データ通信レベル設定値＞保持レベル設定値の関係で設定し、通話モード／データ通信モードを切り替えたとき、受信レベルがデータ通信レベル設定値より低下していればオープンサーチを行なうようにしたものである。
【００１０】
先ず最初にＰＨＳ端末は、複数の基地局の電波を順次受信しオープンサーチし（ステップＳＴ１）、受信レベルが選択レベルの設定値より高い基地局を選択する（ステップＳＴ２）。前記選択された基地局の中で接続可能な最も高レベルの基地局を選択し制御チャネルを接続する（ステップＳＴ３）。
【００１１】
通常、この状態で着信を待ち受けながら周期的に受信レベルをチェックする（ステップＳＴ４）。通話モード／データ通信モードのモード切替があるか否かをチェックし（ステップＳＴ５）、受信レベルは保持レベル設定値以上か否かをチェックし（ステップＳＴ６）、受信レベルが保持レベル設定値より高ければ前記ステップＳＴ４から繰り返し待ち受け状態を続け、受信レベルが保持レベル設定値より低下していれば前記ステップＳＴ１のオープンサーチを行ない別の基地局を選択し切替接続する。
【００１２】
前記ステップＳＴ５において、通話モード／データ通信モードのモード切替があった時、受信レベルはデータ通信レベル設定値以上か否かをチェックし（ステップＳＴ７）、受信レベルが高ければ前記ステップＳＴ４から繰り返し待ち受け状態を続け、受信レベルがデータ通信レベル設定値より低下していれば前記ステップＳＴ１のオープンサーチを行ない別の基地局を選択し切替接続する。
【００１３】
以上述べたように本発明の実施の形態例によればＰＨＳ端末に選択レベル設定値と保持レベル設定値の他にデータ通信レベル設定値を設け、各設定値を選択レベル設定値＞データ通信レベル設定値＞保持レベル設定値の関係で設定しているので、図２に示すように、ＰＨＳ端末３が通話モード／データ通信モードを切り替えてデータ通信を行なうときは従来の保持レベルより高い受信レベルでオープンサーチを行なうので、基地局２の方が受信レベルが高ければ基地局２へ切り替えられ接続される（図２のＢの状態）。従って、広い範囲で安定して使用することができるので（図２のＣの状態まで）データ通信の成功率も高くなる。
【００１４】
なお、上記実施形態例ではＰＨＳ端末を例にデータ通信待ち受け方法を説明したが、本発明はＰＨＳ端末に限定されるものではなく、一般の無線電話端末に適用できることは当然である。
【００１５】
【発明の効果】
以上説明したように本発明によれば、無線電話端末に受信レベルを設定するデータ通信レベル設定手段を設け、データ通信レベル設定値を保持レベル設定値より高く設定し、通話モード／データ通信モードを切り替えるモード切替手段が作動したとき、受信レベルをデータ通信レベル設定値と比較し、受信レベルが該設定値より低下していればオープンサーチ手段により適切な基地局を選び切替接続する手段を設けたので、下記のような優れた効果が期待できる。
【００１６】
無線電話端末がモードを切り替えてデータ通信を行なうときは従来の保持レベルより高い受信レベルでオープンサーチを行なうので、受信レベルの高い基地局があればその方へ切り替えられ接続される。従って、広い範囲で安定して使用することができるのでデータ通信の成功率も高くなる。
【図面の簡単な説明】
【図１】本発明のＰＨＳ端末のデータ通信待ち受け方法の処理フローを示す図である。
【図２】データ通信待ち受けレベルを設けたＰＨＳ端末の状態を示す図である。
【図３】従来の保持レベルで基地局を切り替えるＰＨＳ端末の状態を示す図である。
【符号の説明】
１          基地局
２          基地局
３          ＰＨＳ端末
４          サービスエリア
５          サービスエリア
【図１】
0003563966.tif 000002
【図２】
0003563966.tif 000003
【図３】
0003563966.tif 000004